(57)【要約】情報通信網内での個人専用ページを利用する情報提供方法をここに開示する。この方法は、（ａ）サービス提供サーバーが、情報通信網を介して検索者端末機から必要な情報を受信して個人専用ページＤＢを生成して格納する段階；（ｂ）前記サービス提供サーバーが、情報通信網を介して情報提供者端末機から必要な情報を受信し、情報提供者ＤＢを生成して格納する段階；（ｃ）前記サービス提供サーバーが、情報通信網を介して前記検索者端末機が個人専用ページで接続することを認識する段階；（ｄ）前記サービス提供サーバーが、前記検索者端末機から個人専用ページに備えられた検索窓または個人検索メニューを介して検索しようとする情報に対する検索インデックスを直接的にまたは間接的に受信する段階；及び（ｅ）前記サービス提供サーバーが、受信された前記検索インデックスと相応する情報提供者を抽出し、これに係わる情報を検索者端末機から提供するか情報提供者が運営するサイトに連結する段階；を含む。
2009516291.tif 000002
【特許請求の範囲】
【請求項１】
（ａ）サービス提供サーバーが、情報通信網を介して検索者端末機から必要な情報を受信して個人専用ページＤＢを生成して格納する段階；
（ｂ）前記サービス提供サーバーが、情報通信網を介して情報提供者端末機から必要な情報を受信し、情報提供者ＤＢを生成して格納する段階；
（ｃ）前記サービス提供サーバーが、情報通信網を介して前記検索者端末機が個人専用ページで接続することを認識する段階；
（ｄ）前記サービス提供サーバーが、前記検索者端末機から個人専用ページに備えられた検索窓または個人検索メニューを介して検索しようとする情報に対する検索インデックスを直接的にまたは間接的に受信する段階；及び
（ｅ）前記サービス提供サーバーが、受信された前記検索インデックスと相応する情報提供者を抽出し、これに係わる情報を検索者端末機から提供するか情報提供者が運営するサイトに連結する段階；を含むことを特徴とする、情報通信網内での個人専用ページを利用する情報提供方法。
【請求項２】
前記（ａ）段階は、
（ａ−１）前記サービス提供サーバーが、前記検索者端末機が情報通信網を介して個人専用ページ生成を要請するために接続することを認識する段階；
（ａ−２）前記サービス提供サーバーが、前記検索者端末機から個人専用ページ生成に必要な情報を要請して受信する段階；及び
（ａ−３）前記サービス提供サーバーが、受信された情報を利用して検索窓及び個人検索メニューが備えられた個人専用ページを生成し、これを個人専用ページＤＢに格納する段階；を含むことを特徴とする、請求項１に記載の情報通信網内での個人専用ページを利用する情報提供方法。
【請求項３】
前記（ａ−３）段階は、
（ａ−４）前記サービス提供サーバーが、受信された情報から個人専用ページを検索するために必要な一連の検索インデックスを抽出して検索インデックスＤＢに格納する段階をさらに含むことを特徴とする、請求項２に記載の情報通信網内での個人専用ページを利用する情報提供方法。
【請求項４】
前記（ｂ）段階は、
（ｂ−１）前記サービス提供サーバーが、前記情報提供者端末機が情報通信網を介して情報提供者としての登録を要請するために接続することを認識する段階；
（ｂ−２）前記サービス提供サーバーが、前記情報提供者端末機から情報提供者としての登録に必要な情報を要請して受信する段階；
（ｂ−３）前記サービス提供サーバーが、受信された情報を利用して検索窓が備えられた情報提供者ページを生成するか前記情報提供者が運営しているサイトのページに検索窓を生成した後、これを情報提供者ＤＢに格納する段階；を含むことを特徴とする、請求項１に記載の情報通信網内での個人専用ページを利用する情報提供方法。
【請求項５】
前記（ｂ−３）段階は、
（ｂ−４）前記サービス提供サーバーが、受信された情報から情報提供者を検索するために必要な一連の検索インデックスを抽出して検索インデックスＤＢに格納する段階をさらに含むことを特徴とする、請求項４に記載の情報通信網内での個人専用ページを利用する情報提供方法。
【請求項６】
前記（ｄ）段階の検索インデックスは、数字、文字または所定の桁数でなり、前記検索窓を介して情報提供者を直接抽出することができるものであるかあるいは前記検索窓または個人検索メニューに連結されたサブメニューを介して情報提供者を間接的に抽出することができるものであることを特徴とする、請求項１ないし５のいずれか１項に記載の情報通信網内での個人専用ページを利用する情報提供方法。
【請求項７】
前記（ｅ）段階は、
（ｅ−１）前記サービス提供サーバーが、受信された検索インデックスが検索窓を介して受信されたものであるかあるいは個人検索メニューを介して受信されたものであるかを判断する段階；
（ｅ−２）前記サービス提供サーバーが、受信された検索インデックスが検索窓を介して受信されたものであるときには、この検索インデックスを利用して情報提供者を直接抽出するか、あるいはこれに連結されたサブメニューを介して情報提供者を間接的に抽出する段階；
（ｅ−３）前記サービス提供サーバーが、受信された検索インデックスが個人検索メニューを介して受信されたものであるときには、この検索インデックスを利用して前記個人検索メニューに連結されたサブメニューを介して情報提供者を間接的に抽出する段階；
（ｅ−４）前記サービス提供サーバーが、検索者端末機に抽出された情報提供者に係わるページを直接提供するかあるいは情報提供者が運営するサイトに連結する段階；を含むことを特徴とする、請求項６に記載の情報通信網内での個人専用ページを利用する情報提供方法。
【請求項８】
前記（ｄ）段階の個人検索メニューは、前記サービス提供サーバーから基本的に提供するものと、検索者端末機から受信されたブックマーク情報を利用して個人趣向によって設定されたものとから構成されることを特徴とする、請求項１ないし５のいずれか１項に記載の情報通信網内での個人専用ページを利用する情報提供方法。
【発明の詳細な説明】
【技術分野】
【０００１】
本発明は情報通信網内での個人専用ページを利用する情報提供方法に係り、より詳しくは、有無線情報通信網を介して提供される個人専用ページに接続して多種の情報を一層便利に検索して受けることができるようにする情報通信網内での個人専用ページを利用する情報提供方法に関するものである。
【背景技術】
【０００２】
最近、全世界的に有無線情報通信網が急速に普及されている。これにより、情報通信網を介して情報及びサービスを提供し、これを楽しむ文化が急速に定着している。インターネットという有線情報通信網が現代人の必須な生活手段として落ち着いたのが久しい前のことであり、最近には、携帯電話またはＰＤＡなどを用い、無線情報通信網を介して必要な情報とサービスを検索して受けることも普遍化している。
【０００３】
情報通信網を介して情報またはサービスを提供する形態も多様に変化している。従来は、幾多のポタール業者及びオンライン業者が情報通信網を介して、検索、ショッピング、前売り、放送、ニュース、娯楽、音楽、映画、チャット、ゲーム、学習などの多様なコンテンツを提供し、一般人は前記業者が運営するサイトに接続し、自分が必要とする情報を検索して受ける形態に発展してきた。しかし、最近には、このような個人対企業間の一方的な情報及びサービスの提供の次元を越えて、サイワールドから提供するミニホームページまたはＮＡＶＥＲから提供するブログのように、使用者が情報通信網内に自分の個人専用ページを運営しながら個人対個人間に必要とする情報を双方に提供する文化が早く落ち着いている。
【０００４】
最近の統計によると、情報通信網による意思伝達が現代人の人間関係の重要な維持手段として台頭するにしたがい、使用者が個人専用ページを利用するために情報通信網に接続する頻度が、商業的なサイトを利用するために情報通信網に接続する頻度より多くなっている。
【発明の開示】
【技術的課題】
【０００５】
このように、情報通信網内に自分の個人専用ページを運営しながら必要な情報を共有する文化が活性化しているが、使用者が個人専用ページを介して行える仕事は非常に制限的である。例えば、現在使用者が有線情報通信網を介して提供される個人専用ページで行える仕事は自分の写真または文などをアップロードして他人に見せるか、あるいは他人の個人専用ページを訪問して芳名簿にて安否を問うに止めている。
【０００６】
したがって、自分が運営する個人専用ページに接続した使用者が、検索、ショッピング、前売り、放送、ニュース、娯楽、音楽、映画、チャット、ゲーム、学習などの他のコンテンツを利用するためには、個人専用ページの接続を終了し、該当のコンテンツを提供する企業が運営するサイトに再接続する煩わしさがあった。このような問題点は、無線通信網を介して提供される個人専用ページにおいてはもっと深刻になる。使用者が自分の携帯電話を利用して個人専用ページを使用するためには、それぞれの移動通信社が提供する無線通信網接続プログラムを介して個人専用ページに接続しなければならなく、この状態で、他のコンテンツを利用するためには、無線情報通信網の接続自体を終了し、新たに接続しなければならない。これは、相対的に長くかかる無線通信網接続時間、高価のデータパケット使用料、及び数字入力に基づく携帯電話の文字キーの使用上の不便さなどを考慮すると、非常に煩わしい作業であり、これが無線通信網の活性化を阻害する重要な原因として台頭している。
【０００７】
このような点に鑑み、現在活性化している情報通信網の個人専用ページ内で、検索、ショッピング、前売り、放送、ニュース、娯楽、音楽、映画、チャット、ゲーム、学習など必要な他のコンテンツを手軽く検索して受けることができる新概念の情報提供方法が切実に要求されている。
【技術的解決手段】
【０００８】
したがって、本発明はこのような業界及びインターネット使用者の要求を満たすためになされたもので、情報通信網内で提供される個人専用ページに検索窓または個人検索メニューを備え、これを介して多種の情報を手軽く検索して受けることができるようにする個人専用ページを利用する情報提供方法を提供することにその目的がある。
このような本発明によれば、使用者は情報通信網内で運営している自分の個人専用ページに接続することだけで、既存になされた個人対個人間の情報提供だけではなく、オンライン業者などから提供する多様なコンテンツを受けることができる個人対企業間の情報提供まで、いっぺんになし得るワンストップサービス概念の新しい情報提供方法を利用することができる。
【０００９】
前記の目的を達成するための本発明による情報通信網内での個人専用ページを利用する情報提供方法は、（ａ）サービス提供サーバーが、情報通信網を介して検索者端末機から必要な情報を受信して個人専用ページＤＢを生成して格納する段階；（ｂ）前記サービス提供サーバーが、情報通信網を介して情報提供者端末機から必要な情報を受信し、情報提供者ＤＢを生成して格納する段階；（ｃ）前記サービス提供サーバーが、情報通信網を介して前記検索者端末機が個人専用ページで接続することを認識する段階；（ｄ）前記サービス提供サーバーが、前記検索者端末機から個人専用ページに備えられた検索窓または個人検索メニューを介して検索しようとする情報に対する検索インデックスを直接的にまたは間接的に受信する段階；及び（ｅ）前記サービス提供サーバーが、受信された前記検索インデックスと相応する情報提供者を抽出し、これに係わる情報を検索者端末機から提供するか情報提供者が運営するサイトに連結する段階；を含む。
【００１０】
また、前記（ａ）段階は、（ａ−１）前記サービス提供サーバーが、前記検索者端末機が情報通信網を介して個人専用ページ生成を要請するために接続することを認識する段階；（ａ−２）前記サービス提供サーバーが、前記検索者端末機から個人専用ページ生成に必要な情報を要請して受信する段階；及び（ａ−３）前記サービス提供サーバーが、受信された情報を利用して検索窓及び個人検索メニューが備えられた個人専用ページを生成し、これを個人専用ページＤＢ２４２に格納する段階；を含む。
【００１１】
好ましくは、前記（ａ−３）段階は、（ａ−４）前記サービス提供サーバーが、受信された情報から個人専用ページを検索するために必要な一連の検索インデックスを抽出して検索インデックスＤＢに格納する段階をさらに含む。
【００１２】
また、前記（ｂ）段階は、（ｂ−１）前記サービス提供サーバーが、前記情報提供者端末機が情報通信網を介して情報提供者としての登録を要請するために接続することを認識する段階；（ｂ−２）前記サービス提供サーバーが、前記情報提供者端末機から情報提供者としての登録に必要な情報を要請して受信する段階；（ｂ−３）前記サービス提供サーバーが、受信された情報を利用して検索窓が備えられた情報提供者ページを生成するか前記情報提供者が運営しているサイトのページに検索窓を生成した後、これを情報提供者ＤＢに格納する段階；を含む。
【００１３】
好ましくは、前記（ｂ−３）段階は、（ｂ−４）前記サービス提供サーバーが、受信された情報から情報提供者を検索するために必要な一連の検索インデックスを抽出して検索インデックスＤＢに格納する段階をさらに含む。
【００１４】
また、前記（ｄ）段階の検索インデックスは、数字、文字または所定の桁数でなり、前記検索窓を介して情報提供者を直接抽出することができるものであるかあるいは前記検索窓または個人検索メニューに連結されたサブメニューを介して情報提供者を間接的に抽出することができるものである。
【００１５】
また、前記（ｅ）段階は、（ｅ−１）前記サービス提供サーバーが、受信された検索インデックスが検索窓を介して受信されたものであるかあるいは個人検索メニューを介して受信されたものであるかを判断する段階；（ｅ−２）前記サービス提供サーバーが、受信された検索インデックスが検索窓を介して受信されたものであるときには、この検索インデックスを利用して情報提供者を直接抽出するか、あるいはこれに連結されたサブメニューを介して情報提供者を間接的に抽出する段階；（ｅ−３）前記サービス提供サーバーが、受信された検索インデックスが個人検索メニューを介して受信されたものであるときには、この検索インデックスを利用して前記個人検索メニューに連結されたサブメニューを介して情報提供者を間接的に抽出する段階；（ｅ−４）前記サービス提供サーバーが、検索者端末機に抽出された情報提供者に係わるページを直接提供するかあるいは情報提供者が運営するサイトに連結する段階；を含む。
【００１６】
一方、前記（ｄ）段階の個人検索メニューは、前記サービス提供サーバーから基本的に提供するものと、検索者端末機から受信されたブックマーク情報を利用して個人趣向によって設定されたものとから構成される。
【有利な効果】
【００１７】
以上のように、本発明による情報通信網内での個人専用ページを利用する情報提供方法によれば、使用者が自分が運営する個人専用ページ内で所望のすべての情報を検索して受けることができるだけでなく、電子メール、ファックス、通話機能などの必要なすべての作業を行うことができる新概念の情報提供方法を普及することができる。
【００１８】
特に、無線情報通信網の場合、従来の問題点に指摘された頻繁な接続終了による不便さなどを解消して無線情報通信網の利用を画期的に拡大させることができる。
【図面の簡単な説明】
【００１９】
図１は本発明による情報提供システムの構成図である。
図２は本発明によるサービス提供サーバーの構成ブロック図である。
図３は本発明による検索者端末機の個人専用ページを示す一例示図である。
図４は本発明による情報提供者端末機の一例示図である。
図５は本発明による情報提供方法の基本構成を示すフローチャートである。
図６は本発明による個人専用ページ登録過程を示すフローチャートである。
図７は本発明による情報提供者登録過程を示すフローチャートである。
図８は本発明による情報提供過程を示すフローチャートである。
図９は本発明の検索窓による直接的な情報提供過程を示す一例示図である。
図１０は本発明の検索窓による間接的な情報提供過程を示す一例示図である。
図１１は本発明の個人検索メニューによる情報提供過程を示す一例示図である。
図１２は本発明による情報提供過程を示すさらに他の一例示図である。
図１３は本発明による情報提供過程を示すさらに他の一例示図である。
【発明を実施するための最良の様態】
【００２０】
以下、添付図面に基づいて、本発明による情報通信網内での個人専用ページを利用する情報提供方法をより詳細に説明する。図１〜図４は本発明が適用される情報通信システムを示す。
【００２１】
図１に示すように、本発明が適用される情報通信システムは、情報通信網１００、サービス提供サーバー２００、情報提供者端末機３００、及び検索者端末機４００で構成される。
【００２２】
前記情報通信網１００は、有線で接続可能なＴＣＰ／ＩＰプロトコルと、無線で接続可能なＷＡＰプロトコルなどを使用したインターネット網をすべて含む。
【００２３】
前記サービス提供サーバー２００は、検索者端末機４００が情報通信網１００を介して接続して自分の個人専用ページを登録し、この個人専用ページ内に備えられた検索窓または個人検索メニューによって、情報提供者端末機３００から提供されるコンテンツを検索して受けることができるようにする機能をする。このために、前記サービス提供サーバー２００は、図２に示すように、中央処理部２１０、運営体系部２２０、ＲＯＭ（Ｒｅａｄ Ｏｎｌｙ Ｍｅｍｏｒｙ）とＲＡＭ（Ｒａｎｄｏｍ Ａｃｅｓｓ Ｍｅｍｏｒｙ）を含むメモリ部２３０、及びデータ格納部２４０で構成され、図示しない別途のディスプレイ部を含むこともできる。
【００２４】
前記中央処理部２１０は、大容量の業務処理、相互情報交換の際に必要な幾多の数学的計算を行い、データベースを検索する機能をすることができなければならないが、一般に、インテル社の１００ＭＨｚ Ｐ５４Ｃ、モトローラ１２０ＭＨｚパワーＰＣ６０４またはサンマイクロシステムの１６６ＭＨｚウルトラＳＰＡＲＣ−１シリーズ以上の中央処理装置であることが好ましい。一方、これを駆動するに必要な別途の運営体系（Ｏ／Ｓ）は前記運営体系部２２０に格納される。
【００２５】
前記メモリ部２３０は、本発明によるデータを一時的に記憶する機能をし、１２８ＭＢ以上の大きさであれば、ＥＥＰＲＯＭ、ＤＲＡＭ、ＳＲＡＭなどのいずれでもかまわない。
【００２６】
前記データ格納部２４０は、基本的に個人専用ページＤＢ２４２、情報提供者ＤＢ２４４を含み、より速い検索のために、前記個人専用ページＤＢ２４２と情報提供者ＤＢ２４４に格納される検索者及び情報提供者の情報で構成される検索インデックスＤＢ２４６をさらに含むことができる。このデータ格納部２４０は、一般にオラクル社が製造したデータソフトウェアのようなデータベース管理プログラムによって前記ＤＢを生成して管理する。
【００２７】
前記個人専用ページＤＢ２４２には、サービス提供サーバー２００から提供する接続プログラムを介して個人専用ページを生成するために接続する個人使用者の基本情報と個人専用ページを運営するのに必要なデータが格納される。前記基本情報には、会員別ＩＤ、パスワードを含め、個人を識別することができる姓名、住民登録番号、電話番号、住所、電子メールアドレスなどのような個人身上情報が含まれることができ、前記個人専用ページを運営するのに必要なデータには、個人がアップロードした写真、メディアファイル（音楽、動画など）、文などが含まれることができるが、本発明がこれに限定されるものではない。これら基本情報とデータは検索者によって変更可能であり、変更された基本情報とデータは個人専用ページＤＢ２４２内に実時間でアップデートされる。
【００２８】
前記情報提供者ＤＢ２４４には、サービス提供サーバー２００から提供する接続プログラムを介して自分のコンテンツを提供しようとする個人または企業の基本情報が格納される。個人または企業の基本情報は、会員別ＩＤ、パスワード、業者名、国名、地域名、事業者登録番号、代表者の氏名、代表者の住民登録番号、代表者の住所、事業者区分、業種、直接運営するサイトの有無、サイトがある場合のＵＲＬ、従業員数、及びその他の個人または企業を広報するための情報などがあり得る。情報提供者である個人または企業が運営するサイトがない場合には、提供しようとするコンテンツが情報提供者ＤＢ２４４に直接格納されることもできる。前述した内容はただ例示に過ぎないもので、本発明がこれに限定されるものではない。
【００２９】
前記検索インデックスＤＢ２４６には、前記個人専用ページＤＢ２４２及び情報提供者ＤＢ２４４に格納される情報のうち、個人または企業を識別することができる氏名（商号）または電話番号のように、検索インデックスとして使用できる情報だけが抽出されて別に格納される。検索インデックスは、前記情報を利用して本発明者が開発した統合検索体系によって決まる数字、文字または所定の桁数でなるものでもあり得る。
【００３０】
検索インデックスは基本的に前記個人専用ページＤＢ２４２及び情報提供者ＤＢ２４４に格納される情報と同一であるので、検索インデックスＤＢ２４６を必ず別に構成する必要はない。しかし、前記個人専用ページＤＢ２４２及び情報提供者ＤＢ２４４には、検索インデックスに係わる情報の外にも多様な情報が格納されているので、検索インデックスＤＢ２４６がなければ、サービス提供サーバー２００が検索インデックスに相応する個人または企業を抽出するために、個人専用ページＤＢ２４２及び情報提供者ＤＢ２４４に格納されたすべての情報を検索しなければならないため、長時間が必要になる。一方、個人または企業の情報の中で、検索インデックスになり得る情報を予め抽出して検索インデックスＤＢ２４６に格納しておけば、検索インデックスＤＢ２４６のみを検索すれば良いので、時間を効果的に短縮させることができる。
【００３１】
前記情報提供者端末機３００は、情報通信網１００を介して自分の情報を提供しようとする個人または企業が使用する。このために、情報提供者端末機３００は通信可能なコンピューター装置であって、ウェブ内容を表示することができるインターネットブラウザーを持っていなければならなく、企業用サーバーだけではなく、デスクトップコンピューター、ノートブックコンピューターなどのような個人用コンピューター及び有線電話、無線インターネット通信の可能な携帯電話、ＰＤＡなども含まれる。
【００３２】
したがって、情報提供者端末機３００は、実際に特定事業を運営している事業者にだけ制限されなく、ミニホームページ、ブログなどのような個人専用ページを運営している個人でもあり得る。また、情報提供者端末機３００を使用する個人または企業は、必ずしも自分のサイトを運営している必要がなく、企業紹介のような簡単な情報は自分の端末機に格納か前記サービス提供サーバー２００に格納した後、検索要求の際に直接伝できるようにすることもできる。
【００３３】
前記検索者端末機４００は、情報通信網１００を介してサービス提供サーバー２００に提供する個人専用ページに接続してこれを運営するか、これによって多様なコンテンツを検索して受けようとする個人が使用する。この検索者端末機４００は、有無線通信によって、文字、イメージ、動画、音響データの送受信が可能なデスクトップコンピューター、ノートブック、ＰＤＡ、ＨＰＣ（Ｈａｎｄ Ｐｅｒｓｏｎａｌ Ｃｏｍｐｕｔｅｒ）、ウェブパッド、携帯電話、スマートフォン、ＷＡＰ（Ｗｉｒｅｌｅｓｓ Ａｐｐｌｉｃａｔｉｏｎ Ｐｒｏｔｏｃｏｌ）フォン、パームＰＣ、ｅ−ｂｏｏｋ端末機、ＨＨＴ（Ｈａｎｄ Ｈｅｌｄ Ｔｅｒｍｉｎａｌ）だけでなく、アパートなどで使用される情報通信網と連結された映像電話機または家庭用ＴＶ、車両インターネットＴＶなども含まれる。
本発明の特徴的技術構成は、サービス提供サーバー２００から提供する個人専用ページ内で多様なコンテンツを検索して受けることができるようにするために、個人専用ページ内に検索窓と個人検索メニューが備えられることである。図３はこのような目的のためになされた個人専用ページの一実施例として、無線情報通信網を介して提供されるフォンページが示されている。
【００３４】
個人専用ページ５００は、大別して、検索窓５１０、個人メニュー５２０及び個人検索メニュー５３０で構成される。前記検索窓５１０は、個人専用ページに接続した使用者が所定の検索インデックスを直接入力して必要なコンテンツを検索するように構成される。前記個人メニュー５２０は、使用者が自分の紹介文、写真、メディアファイルなどをアップロードするか更新するのに必要なメニューを提供する。前記個人検索メニュー５３０は、使用者が検索しようとするコンテンツが属する検索インデックスを順に選択することで必要な情報を受けることができるように構成される。また、前記個人検索メニュー５３０は、使用者が直接構成した電子メールリストのようなブックマークメニューと、使用者が一番多く使用するショッピング、音楽、ゲーム、ホームネットワーク、ニュース検索、放送、知識検索のような基本提供メニューとから構成される。
【００３５】
本発明によれば、使用者が自分が運営する個人専用ページに備えられた前記検索窓５１０と個人検索メニュー５３０を介して必要とする情報を直接的にまたは間接的に検索し、これを受けることができる。これについての詳細な内容は後述する。
【００３６】
図４はサービス提供サーバー２００から検索者端末機４００に提供される前記情報提供者に係わるフォンページの一実施例を示す。情報提供者は、情報通信網１００を介して情報を自分の提供しようとするいずれの個人または企業も含む。これは、イベイ（ｅＢａｙ）、オークション（Ａｕｃｔｉｏｎ）のようなショッピング業者（ａ）であることもでき、Ｙａｈｏｏ、ＮＡＶＥＲのようなポタール業者（ｂ）であることもでき、ソウル市庁のような公共機関（ｃ）であることもできる。さらに、サービス提供サーバー２００によって生成された個人専用ページ（ｄ）を運営する個人も情報提供者になることができる。
【００３７】
サービス提供サーバー２００によって提供される情報提供者ページは、情報提供者が直接運営するサイトのページであることもでき、サービス提供サーバー２００によって生成されたページであることができる。本発明によれば、前述したいずれの場合にも、情報提供者ページには別途の検索窓６１０が備えられ、使用者がこの検索窓６１０に新しい検索インデックスを入力することにより、他の情報提供者ページに移動するように構成される。これは、本発明のさらに他の特徴的技術構成であり、従来に無線情報通信網を利用して検索するとき、他の情報提供者ページに移動するためには、無線情報通信網の接続を終了をし、さらに接続しなければならない不便さを解消する。
【００３８】
図５は本発明による情報提供方法の基本構成を示すフローチャートである。
まず、サービス提供サーバー２００は、情報通信網１００を介して検索者端末機４００から必要な情報を受信し、個人専用ページＤＢ２４２を生成して格納する（Ｓ１０）。この際、個人専用ページＤＢ２４２には、個人使用者の基本情報と個人専用ページを運営するのに必要なデータが格納される。
【００３９】
その後、前記サービス提供サーバー２００は、情報通信網１００を介して情報提供者端末機３００から必要な情報を受信し、情報提供者ＤＢ２４４を生成して格納する（Ｓ２０）。この際、情報提供者ＤＢ２４４には、サービス提供サーバー２００から提供する接続プログラムによって、自分の情報を提供しようとする個人または企業の基本情報が格納される。この基本情報には、情報提供者が別途のサイトを運営している場合には、サイトのＵＲＬのように、使用者を該当情報提供者のサイトに連結するのに必要な情報が含まれることができ、情報提供者が別途のサイトを運営していない場合には、提供しようとする情報自体が含まれることもできる。
【００４０】
前記個人専用ページＤＢ２４２の生成及び保存段階（Ｓ１０）と情報提供者ＤＢ２４４の生成及び保存段階（Ｓ２０）は、本発明によるシステムが運用されているうちに繰り返し行われるものなので、その順に関係なく並列的に行われるイベントである。
【００４１】
前記のように、個人専用ページＤＢ２４２と情報提供者ＤＢ２４４の生成及び格納が完了すれば、サービス提供サーバー２００は、情報通信網１００を介して前記検索者端末機４００が個人専用ページに接続することを認識する（Ｓ３０）。
【００４２】
接続を認識したサービス提供サーバー２００は、前記検索者端末機４００から、個人専用ページに備えられた検索窓５１０または個人検索メニュー５３０を介して検索しようとする情報に対する検索インデックスを直接的にまたは間接的に受信する（Ｓ４０）。よって、個人専用ページに接続した使用者は、個人メニュー５２０によって写真またはメディアファイルをアップロードするなど、個人専用ページを運営する基本的な作業の外にも、前記検索窓５１０または個人検索メニュー５３０を介して必要なコンテンツを直接検索して受けることができる。
【００４３】
前記サービス提供サーバー２００は、受信された前記検索インデックスと相応する情報提供者を抽出し、これに係わる情報を検索者端末機４００から提供するか、情報提供者が運営するサイトに連結する（Ｓ５０）。検索インデックスと相応する情報提供者を抽出する過程は、前記検索窓５１０を介して直接的にまたは間接的に行われることもでき、前記個人検索メニュー５３０を介して間接的にだけ行われることもできる。これについての詳細な内容は図８〜図１１を参照して後述する。
【００４４】
前記Ｓ１０段階の個人専用ページ登録段階を図６に基づいてより詳細に説明する。
【００４５】
まず、前記サービス提供サーバー２００は、前記検索者端末機４００が情報通信網１００を介して個人専用ページ生成を要請するために接続することを認識する（Ｓ１２）。このような認識作業は、使用者がサービス提供サーバー２００が提供する接続プログラムで登録メニューをクリックすることで行われる。
【００４６】
その後、前記サービス提供サーバー２００は、前記検索者端末機４００から個人専用ページの生成に必要な情報を要請して受信する（Ｓ１４）。前記個人専用ページ生成に必要な情報は、会員別ＩＤ、パスワードを含め、個人を識別することができる姓名、住民登録番号、電話番号、住所、電子メールアドレスなどのような基本情報と、個人がアップロードした写真、メディアファイル（音楽、動画など）、文などのように個人専用ページを運営するのに必要なデータとであり、この基本情報とデータは使用者によって変更されて個人専用ページＤＢ２４２内に実時間でアップデートされることは前述したようである。
前記サービス提供サーバー２００が、受信された情報を利用して検索窓５１０及び個人検索メニュー５３０が備えられた個人専用ページを生成し、これを個人専用ページＤＢ２４２に格納することにより（Ｓ１６）、基本的な個人専用ページ登録段階が完了する。前記検索窓５１０と個人検索メニュー５３０は本発明による特徴的技術構成であり、使用者が個人専用ページ内で必要な情報をすぐ検索して受けることができるようにする。
一方、本発明によれば、前記サービス提供サーバー２００が、受信された情報から個人専用ページを検索するために必要な一連の情報を抽出して検索インデックスＤＢ２４６に格納する段階（Ｓ１８）をさらに含むのが好ましい。これは、検索インデックスを別に格納することで、検索作業がより速かになされるようにする。
【００４７】
前記Ｓ２０段階の情報提供者登録段階を図７に基づいてより詳細に説明する。
【００４８】
まず、前記サービス提供サーバー２００は、前記情報提供者端末機３００が情報通信網１００を介して情報提供者としての登録を要請するために接続することを認識する（Ｓ２２）。このような認識作業は、情報提供者がサービス提供サーバー２００に接続して登録メニューをクリックすることでなされる。
【００４９】
その後、前記サービス提供サーバー２００は、前記情報提供者端末機３００から情報提供者としての登録に必要な情報を要請して受信する（Ｓ２４）。前記情報提供者としての登録に必要な情報は、会員別ＩＤ、パスワード、業者名、国名、地域名、事業者登録番号、代表者の氏名、代表者の住民登録番号、代表者の住所、事業者区分、業種、直接運営するサイトの有無、サイトがある場合のＵＲＬ、従業員数、及びその他の個人または企業を広報するための情報などであることは前述したとようである。
【００５０】
前記サービス提供サーバー２００は、受信された情報を利用して、検索窓６１０が備えられた情報提供者ページを生成するか前記情報提供者が運営しているサイトのページに検索窓６１０を生成した後、これを情報提供者ＤＢ２４４に格納することにより（Ｓ２６）、基本的な情報提供者登録段階が完了する。情報提供者が運営するサイトがなくて、提供しようとするコンテンツが情報提供者ＤＢ２４４に直接格納された場合には、サービス提供サーバー２００が検索窓６１０が含まれた情報提供者ページを直接生成して格納する。この外に、サービス提供サーバー２００が自主的に提供するコンテンツ（ショッピングモール運営）の場合にも、サービス提供サーバー２００が直接情報提供者ページを生成して格納する。
【００５１】
情報提供者が別にサイトを運営している場合には、サービス提供サーバー２００は、検索者端末機４００に、情報提供者が運営するサイトのページを連結（ｆｏｒｗａｒｄｉｎｇ）するのに必要な情報を格納する。しかし、この場合にも、情報提供者サイトのページ内には、検索窓６１０が別に備えられるように構成される。
【００５２】
一方、本発明によれば、前記サービス提供サーバー２００は、受信された情報から、情報提供者を検索するために必要な一連の情報を抽出して検索インデックスＤＢ２４６に格納する段階（Ｓ２８）をさらに含むことが好ましい。これは、検索インデックスを別に格納することで検索作業がより速かになされるようにする。
【００５３】
前記Ｓ５０段階の情報提供段階を図８〜図１１に基づいてより詳細に説明する。
【００５４】
まず、Ｓ４０段階で、個人専用ページによって検索インデックスを受信したサービス提供サーバー２００は、受信された検索インデックスが検索窓５１０を介して入力されたものであるか個人検索メニュー５３０を介して選択されたものであるかを判断する（Ｓ５２）。
【００５５】
この際、検索インデックスは、数字、文字または所定の桁数でなり、前記検索窓を介して情報提供者を直接抽出することができるものであるか、前記検索窓または個人検索メニューに連結されたサブメニューによって情報提供者を間接的に抽出することができるものになる。前記検索インデックス体系としては、数字を利用して開発した本発明者の有無線統合検索体系が使用されることもできる。これについての詳細な内容は大韓民国公開特許第２００３−０００７９８３号に開示されている。
【００５６】
前記Ｓ５２段階での判断結果、検索インデックスが検索窓５１０によって入力された場合には、検索インデックスＤＢ２４６に格納された情報を検索し、所定情報提供者と直接対応するものがあるかどうかを判断する（Ｓ５４）。受信された検索インデックスと直接対応する情報がある場合には、該当の情報提供者のページを検索者端末機３００に提供する。これに係わる一実施例が図９に示されている。ポタール業者である"Ｙａｈｏｏ"は"９０９０"という数字インデックス、"Ｙａｈｏｏ"という文字インデックス、"ｗｗｗ．ｙａｈｏｏ．ｃｏｍ"というＵＲＬインデックスで直接検索することができる。よって、使用者が検索窓５１０に前記三つのインデックスの一つを入力した場合には、サービス提供サーバー２００は、これと対応する情報提供者である"Ｙａｈｏｏ"を抽出し、そのサイトページを提供することになる（Ｓ５８）。
【００５７】
一方、受信された検索インデックスと直接対応する情報がない場合には、サービス提供サーバー２００は検索インデックスに係わるサブメニューを提供し、間接的に該当の情報提供者を検索するようにする（Ｓ５６）。これに係わる一実施例が図１０に示されている。使用者が検索窓５１０に"ポータル"と入力した場合には、サービス提供サーバー２００は、登録されたポタール業者のリストをサブメニューに提供し、使用者がこの中で自分が検索しようとする"Ｙａｈｏｏ"を選択すれば、そのサイトページを提供することになる（Ｓ５８）。
【００５８】
一方、前記Ｓ５２段階での判断結果、検索インデックスが個人検索メニュー５３０を介して入力された場合には、これに係わるサブメニューを提供し、間接的に該当の情報提供者を検索するようにする（Ｓ５３）。言い換えれば、使用者が個人検索メニュー５３０を選択すれば、サービス提供サーバー２００は、これに係わる一連のサブメニューを提供し、使用者は、提供されるサブメニューを自分が検索しようとする情報提供者が属する分類にしたがって順に選択することで所望の情報を受けることができる。
【００５９】
これに係わる一実施例が図１１に示されている。使用者が個人検索メニュー５３０を選択すれば、ショッピング、音楽、ゲーム、ホームネットワーク、ニュース検索のような大分類のリストを有するサブメニューが提供される。このうち、使用者が自分の検索しようとするポタール業者が属したポータルメニューを選択すれば、Ｇｏｏｇｌｅ、ＭＳＮ、Ａｍｅｒｉｃａ ｏｎｌｉｎｅ、Ａｌｔａ Ｖｉｓｔａ、Ｙａｈｏｏ、ＮｅｔｓｃａｐｅまたはＬｙｃｏｓのような小分類のリストを有するサブメニューが提供される。このうち、使用者が"Ｙａｈｏｏ"を最終的に選択すれば、サービス提供サーバー２００は、これに当たるページを提供することになる。
【００６０】
このように、サービス提供サーバー２００は、使用者が自分が運営する個人専用ページに備えられた検索窓５１０または個人検索メニュー５３０を介して入力した検索インデックスを利用して検索しようとする情報提供者を直接的にまたは間接的に抽出し、抽出された情報提供者に係わるページを直接提供するか、あるいは情報提供者が運営するサイトに連結する。
【００６１】
本発明によれば、使用者が自分が運営する個人専用ページを介して必要な情報を検索し、これを受けること以外の多様な機能をすることもできる。これに係わる一実施例が図１２に示されている。使用者は、自分の個人専用ページの検索窓に"８２０２"という検索インデックスを入力して、ソウル市庁住宅課のページに直接連結する。その後、使用者はソウル市庁住宅課のページから提供する"民事書類"メニューによって、必要な書類をファックスにて発給して受けることができ、"電話相談サービス"メニューを介して担当者と直接通話することもできる。
【００６２】
このようなファックス発給及び通話機能は無線情報通信網の接続を維持した状態で行われる。これは、無線情報通信網を介してソウル市庁住宅課の電話番号が分かった後、無線情報通信網の接続を終了し、別に電話をかけなければならない従来に比べ、非常に便利な機能を提供する。本発明によれば、使用者は自分の個人専用ページを介して必要な情報を探し出し、これに対する後続作業を個人専用ページ内で一括して処理することができるものである。
【００６３】
一方、本発明による個人検索メニュー５３０は、前記サービス提供サーバー２００から基本的に提供するものと、検索者端末機４００から受信されたブックマーク情報を利用して個人趣向によって設定されたものとから構成できる。これに係わる一実施例として、個人検索メニュー５３０は、使用者が直接構成した電子メールリストのようなブックマークメニュー５３２と、使用者が一番多く使用するショッピング、音楽、ゲーム、ホームネットワーク、ニュース検索、放送、知識検索のような基本提供メニュー５３４とから構成できるというのは図３を参照で説明したことがある。
【００６４】
ブックマークメニュー５３２の使用例が図１３に示されている。使用者は、自分が運営する個人専用ページで、個人検索メニュー、電子メール、電子メール対象者を順に選択した後、必要な内容を入力して電子メールを発送することができる。このような電子メール機能も無線情報通信網の接続を維持した状態で実行される。これは、無線情報通信網との接続を終了し、携帯電話によって別に提供される電子メール機能によって電子メールを伝送しなければならない従来とは異なり、個人専用ページ内で行われるので、非常に便利である。
【００６５】
前述した図１２及び図１３を参照して説明した機能を確張すれば、本発明は、使用者が自分が運営する個人専用ページ内で所望のすべての作業を行うことができるワンストップサービス体系を提供することができる。
【００６６】
以上、本発明の好ましい実施例を例示の目的で開示したが、当業者であれば、添付の特許請求範囲に開示するような本発明の範囲及び精神から逸脱することなしに、多様な変形、付加及び代替が可能であることが理解することが可能であろう。
【図１】
2009516291.tif 000003
【図２】
2009516291.tif 000004
【図３】
2009516291.tif 000005
【図４】
2009516291.tif 000006
【図５】
2009516291.tif 000007
【図６】
2009516291.tif 000008
【図７】
2009516291.tif 000009
【図８】
2009516291.tif 000010
【図９】
2009516291.tif 000011
【図１０】
2009516291.tif 000012
【図１１】
2009516291.tif 000013
【図１２】
2009516291.tif 000014
【図１３】
2009516291.tif 000015
【国際調査報告】
2009516291.tif 000016
2009516291.tif 000017